(57)【要約】【課題】シートフレームが有する金属材との摩擦により発生する異音を容易に低減することができるシートパッドを提供すること。【解決手段】発泡樹脂成形体により形成され、シートフレームに裏面を対向させて組み付けられるシートパッド１の、少なくとも前記シートフレームが有する金属材と接触する部位の表面に、拡幅形成された頭部を有する樹脂製タグピン４により係止された不織布３を配設した。【選択図】図２
2006198080.tif 000002
【特許請求の範囲】
【請求項１】
発泡樹脂成形体により形成され、シートフレームに裏面を対向させて組み付けられるシートパッドにおいて、少なくとも前記シートフレームが有する金属材と接触する部位の表面に、拡幅形成された頭部を有する樹脂製タグピンにより係止された不織布が配設されたことを特徴とするシートパッド。
【請求項２】
前記不織布が網目状ポリオレフィン製不織布である請求項１記載のシートパッド。
【請求項３】
前記不織布が前記裏面の全体を覆いうる面積を有する請求項１又は２記載のシートパッド。
【発明の詳細な説明】
【技術分野】
【０００１】
本発明は、車両用や家庭用のシートに用いられるシートパッドに関するものである。
【背景技術】
【０００２】
自動車等の車両用シートや家庭用シートとして、軟質ポリウレタン製のシートパッドが主に用いられている。かかるシートパッドは、従来、発泡性のウレタン原液を成形金型内に供給して発泡硬化させることにより成形されている。シートパッドは、通常シートフレームに裏面を対向させて組み付けられ、シートとして構成される。図５はシートパッドの一例を示す図であり、図６は、図５のシートパッド８が組み付けられるシートフレームを示す図である。シートフレーム９の上面にはバネ１０、１１が備え付けられており、かかる面にシートフレーム８が裏面を対向させて組み付けられる。そのため、シートパッド８の裏面は、バネ１０、１１等の金属材と接触して摩擦する状態にある。
【０００３】
また、シートパッドの裏面には、粗毛布などの不織布が裏打ち材として配設され、耐久性の確保が図られている。かかる裏打ち材は、ウレタン原液の供給前に予め成形金型内にセットされ、ポリウレタンフォームと一体的に成形される。かかる場合において、ウレタン原液が裏打ち材に十分に含浸していることが耐久性向上の面で望ましいが、ウレタン原液が裏打ち材の表面に浸出してしまうと、表面に形成されたポリウレタン皮膜とシートフレームの金属材とが摩擦し、振動時や着座時に異音が発生するという問題があった。
【０００４】
ここで、下記特許文献１では、裏打ち材の金属材と接触する部位を除く部位にのみウレタン原液を含浸させることで、異音を防止することが提案されている。しかしながら、シートパッドのクッション性を確保しうる薄さの裏打ち材に対してウレタン原液の浸出を抑えることは容易ではなく、そのための具体的な構成については何ら開示されていない。また、下記特許文献２では、特定の紡糸法により製造された不織布を裏打ち材として用いることにより、ウレタン原液の浸出を抑制して異音を防止することが提案されているが、そのための特別な不織布を用意しなければならないという問題がある。
【特許文献１】特開平１−２９９００９号公報
【特許文献２】特開２００３−３１１０５１号公報
【発明の開示】
【発明が解決しようとする課題】
【０００５】
本発明は上記実情に鑑みてなされたものであり、その課題は、シートフレームが有する金属材との摩擦により発生する異音を容易に低減することができるシートパッドを提供することである。
【課題を解決するための手段】
【０００６】
上記目的は、下記の如き本発明により達成することができる。即ち、本発明に係るシートパッドは、発泡樹脂成形体により形成され、シートフレームに裏面を対向させて組み付けられるシートパッドにおいて、少なくとも前記シートフレームが有する金属材と接触する部位の表面に、拡幅形成された頭部を有する樹脂製タグピンにより係止された不織布が配設されたものである。
【０００７】
上記構成のシートパッドによれば、シートフレームが有するバネやプレート等の金属材と接触する部位の表面に不織布が配設されるため、当該金属材との摩擦により発生する異音を低減することができる。したがって、裏打ち材にウレタン原液等の発泡樹脂原料を十分に含浸させることができ、耐久性が効果的に確保される。また、不織布を樹脂製タグピンにより係止することで、シートパッドに対して容易に固定でき、当該タグピンとシートフレームとの摩擦による異音を防止することができる。更に、樹脂製タグピンが拡幅形成された頭部を有することにより、不織布が網目状であっても脱落することなく、シートパッドに確実に固定される。
【０００８】
上記において、前記不織布が網目状ポリオレフィン製不織布であるものが好ましい。網目状ポリオレフィン製不織布は、比較的安価で、シートフレームが有する金属材との摩擦による異音を効果的に低減することができることから、好ましく用いることができる。また、かかる不織布は網目状であるが、拡幅形成された頭部を有する樹脂製タグピンにより係止されるため、シートパッドから脱落することなく確実に固定される。
【０００９】
上記において、前記不織布が前記裏面の全体を覆いうる面積を有するものが好ましい。上記構成によれば、不織布が裏面の全体を覆いうる面積を有することにより、一枚の不織布をシートパッドの裏面に配設するだけでよく、作業性が良好となる。
【発明を実施するための最良の形態】
【００１０】
以下、本発明の実施の形態について図面を参照しながら説明する。図１は、一実施形態に係るシートパッドの裏面を示す平面図である。シートパッド１は、シートフレームに対して裏面を対向させて組み付けられ、シートとして構成される。したがって、図１に示す面の反対側の面が着座面となる。シートパッド１は、従来公知の方法により成形され、具体的には、成形金型内に発泡樹脂原料を供給して発泡硬化させることにより成形される。
【００１１】
粗毛布２は、シートパッド１の裏面に裏打ち材として配設されたものであり、従来公知の方法によりシートパッド１に一体成形されている。具体的には、成形金型内に粗毛布２をセットした後、発泡樹脂原料を供給して発泡硬化させることにより成形される。粗毛布２は、シートフレームが有するバネやプレート等の金属材に接触する部位に適宜に配設され、これにより耐久性が確保される。なお、裏打ち材として、粗毛布２等の不織布に代えて織布を用いても構わない。
【００１２】
図２は、シートパッド１の裏面に不織布３を配設したときの平面図である。不織布３は、少なくともシートフレームが有する金属材と接触する部位の表面に配設される。本実施形態では、シートパッド１の裏面の全体を覆いうる面積を有する一枚の不織布３が用いられている。不織布３としては各種不織布が使用可能であるが、比較的安価で異音防止効果に優れていることから網目状ポリオレフィン製不織布が好ましいものとして挙げられる。網目状ポリオレフィン製不織布は、例えば、延伸強化された多層ポリエチレンの割繊維を縦横に連続的に積層、熱融着して形成される。網目状ポリオレフィン製不織布としては、ワリフ（登録商標）が好ましく用いられ、具体的には新日石ブラスト社製日石ワリフ（登録商標）ＨＳ、Ｓ、ＨＳ（Ｔ）、ＨＳＰ（Ｔ）等が挙げられる。
【００１３】
不織布３は、複数箇所を樹脂製タグピン４により係止されることにより、シートパッド１に固定されている。樹脂製タグピン４は、一般に商品に値札を取り付けるために用いられる係止片であり、本実施形態では図３に示すように、胴体をなす繊条のフィラメント部６と、フィラメント部６の端部に直交して拡幅形成された頭部５と、フィラメント部６の他端部に直交して延びる横棒部７とを備え、全体として略Ｈ字形に形成されている。樹脂製タグピン４は、例えばナイロンやポリプロピレン等の合成樹脂からなり、通常は１本の連結棒上に５０〜２００本程度立設された集合体の形態で一体成形され、タグガンと呼ばれるタグ取付機により１本ずつ分離されて対象物に取り付けられる。
【００１４】
樹脂製タグピン４は、図４に示すように、フィラメント部６及び横棒部７をシートパッド１内に埋設した状態で取り付けられ、不織布３を係止する。不織布３が上記日石ワリフ（登録商標）ＨＳ等の網目状ポリオレフィン製不織布である場合、通常の係止部材であれば網目から抜けて不織布３がシートパッド１から脱落するおそれがあるが、拡幅形成された頭部５を有する樹脂製タグピン４を用いることにより、不織布３の脱落を防止することができる。
【００１５】
＜別実施形態＞
（１）本発明において用いられる不織布は、少なくともシートフレームが有する金属材と接触する部位の表面に配設されるものであればよく、シートパッドの裏面の全体を覆うものに限られない。但し、本実施形態のように、一枚の不織布を用いてシートパッドの裏面の全体を覆うことにより作業性が良好となり、異音を容易に防止することができる。かかる場合、作業効率の観点から、シートパッドの裏面に対応した形状の不織布を用意しておくことが好ましい。
【００１６】
（２）シートパッドや裏打ち材、樹脂製タグピン等の形状は、本実施形態で示したものに限られるものではない。但し、樹脂製タグピンの頭部は、網目状ポリオレフィン製不織布の網目から抜けない程度の幅寸法を有するものが好ましく、例えば幅寸法１０〜２０ｍｍ程度のものが挙げられる。
【図面の簡単な説明】
【００１７】
【図１】シートパッドの裏面を示す平面図
【図２】シートパッドの裏面に不織布を配設したときの平面図
【図３】樹脂製タグピンの一例を示す平面図
【図４】樹脂製タグピンの取り付け箇所におけるシートパッドの断面図
【図５】シートパッドの一例を示す斜視図
【図６】シートフレームを示す斜視図
【符号の説明】
【００１８】
１    シートパッド
２    粗毛布
３    不織布
４    樹脂製タグピン
５    頭部
６    フィラメント部
７    横棒部
８    シートパッド
９    シートフレーム
１０  バネ（金属材）
１１  バネ（金属材）
【図１】
2006198080.tif 000003
【図２】
2006198080.tif 000004
【図３】
2006198080.tif 000005
【図４】
2006198080.tif 000006
【図５】
2006198080.tif 000007
【図６】
2006198080.tif 000008